【手続補正書】
【提出日】平成16年5月7日(2004.5.7)
【手続補正１】
【補正対象書類名】明細書
【補正対象項目名】特許請求の範囲
【補正方法】変更
【補正の内容】
【特許請求の範囲】
【請求項１】
端子間あるいは端子と箔間あるいは箔間の未結線部分を線で結び表示する配線基板の実装設計ＣＡＤ装置であって、
接続すべき端子間あるいは端子と箔間あるいは箔間の組合せを示す情報を含むネット情報と、前記接続すべき端子間あるいは端子と箔間あるいは箔間の組合せのうち既に接続された組合せを示す情報を含む配線情報とを記憶する設計情報記憶手段と、
当該箔の形状が線の場合に、箔の端以外の点を接続点として決定する接続点決定手段と、
前記接続点決定手段により決定された接続点を端点とする未結線経路を決定する経路決定手段と、
前記決定された未結線経路を表示する未結線表示手段と、
を備えることを特徴とする配線基板ＣＡＤ装置。
【請求項２】
前記接続点決定手段は、箔の形状が折れ線の場合に、箔の端以外の折れ曲がり点を接続点として決定することを
特徴とする請求項１記載の配線基板ＣＡＤ装置。
【請求項３】
前記接続点決定手段は、接続点としての条件を満たす複数の候補点の中から、接続点間の距離が最短となる点を選択して接続点として決定することを
特徴とする請求項１〜２記載の配線基板ＣＡＤ装置。
【請求項４】
端子間あるいは端子と箔間あるいは箔間の未結線部分を線で結び表示する配線基板の実装設計ＣＡＤ装置であって、
接続すべき端子間あるいは端子と箔間あるいは箔間の組合せを示す情報を含むネット情報と、前記接続すべき端子間あるいは端子と箔間あるいは箔間の組合せのうち既に接続された組合せを示す情報を含む配線情報とを記憶する設計情報記憶手段と、
当該箔の形状が面の場合に、面の外形線上の点を接続点として決定する接続点決定手段と、
前記接続点決定手段により決定された接続点を端点とする未結線経路を決定する経路決定手段と、
前記決定された未結線経路を表示する未結線表示手段と、
を備えることを特徴とする配線基板ＣＡＤ装置。
【請求項５】
前記接続点決定手段は、箔の形状が多角形の場合に、多角形の頂点を接続点として決定することを
特徴とする請求項４記載の配線基板ＣＡＤ装置。
【請求項６】
前記接続点決定手段は、接続点としての条件を満たす複数の候補点の中から、接続点間の距離が最短となる点を選択して接続点として決定することを
特徴とする請求項４〜５記載の配線基板ＣＡＤ装置。
【請求項７】
端子間あるいは端子と箔間あるいは箔間の未結線部分を線で結び表示する配線基板の実装設計ＣＡＤ装置であって、
接続すべき端子間あるいは端子と箔間あるいは箔間の組合せを示す情報を含むネット情報と、前記接続すべき端子間あるいは端子と箔間あるいは箔間の組合せのうち既に接続された組合せを示す情報を含む配線情報とを記憶する設計情報記憶手段と、
当該箔上に接続点を決定する接続点決定手段と、
未結線経路を、前記接続点決定手段により決定された接続点を端点とし、端子に対する引き出し線を設けて、決定する経路決定手段と、
前記決定された未結線経路を表示する未結線表示手段と、
を備えることを特徴とする配線基板ＣＡＤ装置。
【請求項８】
前記経路決定手段は、同一部品の同一側面に配置される複数の端子に対して異なる長さの引き出し線を設けることを特徴とする請求項７記載の配線基板ＣＡＤ装置。
【請求項９】
端子間あるいは端子と箔間あるいは箔間の未結線部分を線で結び表示する配線基板の実装設計ＣＡＤ装置であって、
接続すべき端子間あるいは端子と箔間あるいは箔間の組合せを示す情報を含むネット情報と、前記接続すべき端子間あるいは端子と箔間あるいは箔間の組合せのうち既に接続された組合せを示す情報を含む配線情報とを記憶する設計情報記憶手段と、
当該箔上に接続点を決定する接続点決定手段と、
未結線経路を、前記接続点決定手段により決定された接続点を端点とし、部品または端子に交差しないように決定する経路決定手段と、
前記決定された未結線経路を表示する未結線表示手段と、
を備えることを特徴とする配線基板ＣＡＤ装置。
【請求項１０】
前記経路決定手段は、前記部品又は端子から外側に所定の距離だけオフセットを設けて作成した複数の点からなる図形の一部を未結線経路の一部として決定することを特徴とする請求項９記載の配線基板ＣＡＤ装置。
【請求項１１】
端子間あるいは端子と箔間あるいは箔間の未結線部分を線で結び表示する配線基板の実装設計ＣＡＤ装置であって、
接続すべき端子間あるいは端子と箔間あるいは箔間の組合せを示す情報を含むネット情報と、前記接続すべき端子間あるいは端子と箔間あるいは箔間の組合せのうち既に接続された組合せを示す情報を含む配線情報とを記憶する設計情報記憶手段と、
特定の箔の属するネットに属する複数の未結線区間を抽出する抽出手段と、
前記抽出された未結線区間を、前記特定の箔と同一ネット内の端子又は箔との組合せからなる未結線区間に置き換える置換手段とを備え、
前記置き換えられた未結線区間毎に接続点を決定する接続点決定手段と、
未結線経路を、前記接続点決定手段により決定された接続点を端点とし、決定する経路決定手段と、
前記決定された未結線経路を表示する未結線表示手段と、
を備えることを特徴とする配線基板ＣＡＤ装置。
【請求項１２】
接続すべき端子間あるいは端子と箔間あるいは箔間の組合せを示す情報を含むネット情報と、前記接続すべき端子間あるいは端子と箔間あるいは箔間の組合せのうち既に接続された組合せを示す情報を含む配線情報とを記憶する設計情報記憶手段を備えた配線基板の実装設計ＣＡＤ装置で用いられる端子間あるいは端子と箔間あるいは箔間の未結線部分を線で結び表示する配線基板の実装設計支援方法であって、
当該箔の形状が線の場合に、箔の端以外の点を接続点として決定する接続点決定ステップと、
前記接続点決定ステップにより決定された接続点を端点とする未結線経路を決定する経路決定ステップと
を備え、
前記決定された未結線経路を表示することを特徴とする配線基板の実装設計支援方法。
【請求項１３】
前記接続点決定ステップは、箔の形状が折れ線の場合に、箔の端以外の折れ曲がり点を接続点として決定することを
特徴とする請求項１２記載の配線基板の実装設計支援方法。
【請求項１４】
前記接続点決定ステップは、接続点としての条件を満たす複数の候補点の中から、接続点間の距離が最短となる点を選択して接続点として決定することを
特徴とする請求項１２〜１３記載の配線基板の実装設計支援方法。
【請求項１５】
接続すべき端子間あるいは端子と箔間あるいは箔間の組合せを示す情報を含むネット情報と、前記接続すべき端子間あるいは端子と箔間あるいは箔間の組合せのうち既に接続された組合せを示す情報を含む配線情報とを記憶する設計情報記憶手段を備えた配線基板の実装設計ＣＡＤ装置で用いられる端子間あるいは端子と箔間あるいは箔間の未結線部分を線で結び表示する配線基板の実装設計支援方法であって、
当該箔の形状が面の場合に、面の外形線上の点を接続点として決定する接続点決定ステップと、
前記接続点決定ステップにより決定された接続点を端点とする未結線経路を決定する経路決定ステップと
を備え、
前記決定された未結線経路を表示することを特徴とする配線基板の実装設計支援方法。
【請求項１６】
前記接続点決定ステップは、箔の形状が多角形の場合に、多角形の頂点を接続点として決定することを
特徴とする請求項１５記載の配線基板の実装設計支援方法。
【請求項１７】
前記接続点決定ステップは、接続点としての条件を満たす複数の候補点の中から、接続点間の距離が最短となる点を選択して接続点として決定することを
特徴とする請求項１５〜１６記載の配線基板の実装設計支援方法。
【請求項１８】
接続すべき端子間あるいは端子と箔間あるいは箔間の組合せを示す情報を含むネット情報と、前記接続すべき端子間あるいは端子と箔間あるいは箔間の組合せのうち既に接続された組合せを示す情報を含む配線情報とを記憶する設計情報記憶手段を備えた配線基板の実装設計ＣＡＤ装置で用いられる端子間あるいは端子と箔間あるいは箔間の未結線部分を線で結び表示する配線基板の実装設計支援方法であって、
当該箔上に接続点を決定する接続点決定ステップと、
未結線経路を、前記接続点決定手段により決定された接続点を端点とし、端子に対する引き出し線を設けて、決定する経路決定ステップと
を備え、
前記決定された未結線経路を表示することを特徴とする配線基板の実装設計支援方法。
【請求項１９】
前記経路決定ステップは、同一部品の同一側面に配置される複数の端子に対して異なる長さの引き出し線を設けることを特徴とする請求項１８記載の配線基板の実装設計支援方法。
【請求項２０】
接続すべき端子間あるいは端子と箔間あるいは箔間の組合せを示す情報を含むネット情報と、前記接続すべき端子間あるいは端子と箔間あるいは箔間の組合せのうち既に接続された組合せを示す情報を含む配線情報とを記憶する設計情報記憶手段を備えた配線基板の実装設計ＣＡＤ装置で用いられる端子間あるいは端子と箔間あるいは箔間の未結線部分を線で結び表示する配線基板の実装設計支援方法であって、
当該箔上に接続点を決定する接続点決定ステップと、
未結線経路を、前記接続点決定手段により決定された接続点を端点とし、部品または端子に交差しないように決定する経路決定ステップと
を備え、
前記決定された未結線経路を表示することを特徴とする配線基板の実装設計支援方法。
【請求項２１】
前記経路決定ステップは、前記部品又は端子から外側に所定の距離だけオフセットを設けて作成した複数の点からなる図形の一部を未結線経路の一部として決定することを特徴とする請求項２０記載の配線基板の実装設計支援方法。
【請求項２２】
接続すべき端子間あるいは端子と箔間あるいは箔間の組合せを示す情報を含むネット情報と、前記接続すべき端子間あるいは端子と箔間あるいは箔間の組合せのうち既に接続された組合せを示す情報を含む配線情報とを記憶する設計情報記憶手段を備えた配線基板の実装設計ＣＡＤ装置で用いられる端子間あるいは端子と箔間あるいは箔間の未結線部分を線で結び表示する配線基板の実装設計支援方法であって、
特定の箔の属するネットに属する複数の未結線区間を抽出する抽出ステップと、
前記抽出された未結線区間を、前記特定の箔と同一ネット内の端子又は箔との組合せからなる未結線区間に置き換える置換ステップとを備え、
前記置き換えられた未結線区間毎に接続点を決定する接続点決定ステップと、
未結線経路を、前記接続点決定ステップにより決定された接続点を端点とし、決定する経路決定ステップと
を備え、
前記決定された未結線経路を表示することを特徴とする配線基板の実装設計支援方法。
【請求項２３】
配線基板の実装設計支援プログラムを記録したコンピュータ読み取り可能な記録媒体であって、
請求項１２〜２２記載の何れかの配線基板の実装設計支援方法をコンピュータに実行させる設計支援プログラムを含むことを特徴とする記録媒体。
【手続補正２】
【補正対象書類名】明細書
【補正対象項目名】０００９
【補正方法】変更
【補正の内容】
【０００９】
【課題を解決するための手段】
上記の目的を達成するため、本発明は、端子間あるいは端子と箔間あるいは箔間の未結線部分を線で結び表示する配線基板の実装設計ＣＡＤ装置であって、接続すべき端子間あるいは端子と箔間あるいは箔間の組合せを示す情報を含むネット情報と、前記接続すべき端子間あるいは端子と箔間あるいは箔間の組合せのうち既に接続された組合せを示す情報を含む配線情報とを記憶する設計情報記憶手段と、当該箔の形状が線の場合に、箔の端以外の点を接続点として決定する接続点決定手段と、前記接続点決定手段により決定された接続点を端点とする未結線経路を決定する経路決定手段と、前記決定された未結線経路を表示する未結線表示手段とを備える。
ここで、前記接続点決定手段は、箔の形状が折れ線の場合に、箔の端以外の折れ曲がり点を接続点として決定するとしてもよい。
ここで、前記接続点決定手段は、接続点としての条件を満たす複数の候補点の中から、接続点間の距離が最短となる点を選択して接続点として決定するとしてもよい。
また、本発明は、端子間あるいは端子と箔間あるいは箔間の未結線部分を線で結び表示する配線基板の実装設計ＣＡＤ装置であって、接続すべき端子間あるいは端子と箔間あるいは箔間の組合せを示す情報を含むネット情報と、前記接続すべき端子間あるいは端子と箔間あるいは箔間の組合せのうち既に接続された組合せを示す情報を含む配線情報とを記憶する設計情報記憶手段と、当該箔の形状が面の場合に、面の外形線上の点を接続点として決定する接続点決定手段と、前記接続点決定手段により決定された接続点を端点とする未結線経路を決定する経路決定手段と、前記決定された未結線経路を表示する未結線表示手段とを備える。
ここで、前記接続点決定手段は、箔の形状が多角形の場合に、多角形の頂点を接続点として決定するとしてもよい。
ここで、前記接続点決定手段は、接続点としての条件を満たす複数の候補点の中から、接続点間の距離が最短となる点を選択して接続点として決定するとしてもよい。
また、本発明は、端子間あるいは端子と箔間あるいは箔間の未結線部分を線で結び表示する配線基板の実装設計ＣＡＤ装置であって、接続すべき端子間あるいは端子と箔間あるいは箔間の組合せを示す情報を含むネット情報と、前記接続すべき端子間あるいは端子と箔間あるいは箔間の組合せのうち既に接続された組合せを示す情報を含む配線情報とを記憶する設計情報記憶手段と、当該箔上に接続点を決定する接続点決定手段と、未結線経路を、前記接続点決定手段により決定された接続点を端点とし、端子に対する引き出し線を設けて、決定する経路決定手段と、前記決定された未結線経路を表示する未結線表示手段とを備える。
ここで、前記経路決定手段は、同一部品の同一側面に配置される複数の端子に対して異なる長さの引き出し線を設けるとしてもよい。
また、本発明は、端子間あるいは端子と箔間あるいは箔間の未結線部分を線で結び表示する配線基板の実装設計ＣＡＤ装置であって、接続すべき端子間あるいは端子と箔間あるいは箔間の組合せを示す情報を含むネット情報と、前記接続すべき端子間あるいは端子と箔間あるいは箔間の組合せのうち既に接続された組合せを示す情報を含む配線情報とを記憶する設計情報記憶手段と、当該箔上に接続点を決定する接続点決定手段と、未結線経路を、前記接続点決定手段により決定された接続点を端点とし、部品または端子に交差しないように決定する経路決定手段と、前記決定された未結線経路を表示する未結線表示手段とを備える。
ここで、前記経路決定手段は、前記部品又は端子から外側に所定の距離だけオフセットを設けて作成した複数の点からなる図形の一部を未結線経路の一部として決定するとしてもよい。
また、本発明は、端子間あるいは端子と箔間あるいは箔間の未結線部分を線で結び表示する配線基板の実装設計ＣＡＤ装置であって、接続すべき端子間あるいは端子と箔間あるいは箔間の組合せを示す情報を含むネット情報と、前記接続すべき端子間あるいは端子と箔間あるいは箔間の組合せのうち既に接続された組合せを示す情報を含む配線情報とを記憶する設計情報記憶手段と、特定の箔の属するネットに属する複数の未結線区間を抽出する抽出手段と、前記抽出された未結線区間を、前記特定の箔と同一ネット内の端子又は箔との組合せからなる未結線区間に置き換える置換手段とを備え、前記置き換えられた未結線区間毎に接続点を決定する接続点決定手段と、未結線経路を、前記接続点決定手段により決定された接続点を端点とし、決定する経路決定手段と、前記決定された未結線経路を表示する未結線表示手段とを備える。
また、上記の目的を達成するため、本発明は、端子間、端子と箔間、箔間の未結線部分を線で結び表示する配線基板の実装設計ＣＡＤ装置であって、接続すべき端子間、端子と箔間、箔間の組合せを示す情報を含むネット情報と、前記接続すべき端子間、端子と箔間、箔間の組合せのうち既に接続された組合せを示す情報を含む配線情報とを記憶する設計情報記憶手段と、前記設計情報記憶手段から、前記ネット情報と前記配線情報とを読み出し、それらに基づいて未結線の端子間、端子と箔間、箔間を未結線区間として検出する検出手段と、前記検出手段により検出された未結線区間が箔を含む場合に、当該箔と接続すべき相手の端子又は箔との位置関係に応じて、当該箔上の接続点を決定する接続点決定手段と、前記検出手段により検出された未結線区間毎に、前記接続点決定手段により決定された接続点を端点とする未結線経路を決定する経路決定手段と、前記決定された未結線経路を表示する未結線表示手段とを備えることを特徴とする。